(57)【要約】【課題】  送信時に自身の送信信号が受信手段に入力されることで受信増幅器での消費電力が増加するのを防止する。【解決手段】  送信信号を出力し、受信信号を受ける送受信部１と、出力端が電力線５に結合されると共に、送受信部１からの送信信号を増幅して電力線に送出する送信増幅器２と、入力端が電力線５に結合されると共に、電力線５からの受信信号を増幅して送受信部１に送出する受信増幅器７とを備え、送信時に、受信増幅器７をバイパスして送信信号を送受信部１に入力すると共に、受信増幅器７に供給する電源電圧を遮断した。【選択図】        図１
2005142804.tif 000002
【特許請求の範囲】
【請求項１】
送信信号を出力し、受信信号を受ける送受信部と、出力端が電力線に結合されると共に、前記送受信部からの送信信号を増幅して前記電力線に送出する送信増幅器と、入力端が前記電力線に結合されると共に、前記電力線からの受信信号を増幅して前記送受信部に送出する受信増幅器とを備え、送信時に、前記受信増幅器をバイパスして前記送信信号を前記送受信部に入力すると共に、前記受信増幅器に供給する電源電圧を遮断したことを特徴とする電力線搬送通信機。
【請求項２】
送信信号を出力し、受信信号を受ける送受信部と、出力端が電力線に結合されると共に、前記送受信部からの送信信号を増幅して前記電力線に送出する送信増幅器と、入力端が前記電力線に結合されると共に、前記電力線からの受信信号を増幅して前記送受信部に送出する受信増幅器とを備え、前記受信増幅器の入力端にスイッチ手段を設け、送信時に、前記受信増幅器をバイパスして前記送信信号を前記送受信部に入力すると共に、前記スイッチ手段によって前記送信信号の入力を遮断したことを特徴とする電力線搬送通信機。
【請求項３】
前記受信増幅器に供給する電源電圧を遮断したことを特徴とする請求項２に記載の電力線搬送通信機。
【請求項４】
送信信号を出力し、受信信号を受ける送受信部と、出力端が電力線に結合されると共に、前記送受信部からの送信信号を増幅して前記電力線に送出する送信増幅器と、入力端が前記電力線に結合されると共に、前記電力線からの受信信号を増幅して前記送受信部に送出する受信増幅器とを備え、送信時に、前記送信増幅器から出力された前記送信信号を減衰器を介して前記受信増幅器に入力したことを特徴とする電力線搬送通信機。
【請求項５】
前記受信増幅器の入力端にスイッチ手段を設けると共に、前記スイッチ手段に前記減衰器を並列接続し、送信時に、前記スイッチ手段をオフにしたことを特徴とする請求項４に記載の電力線搬送通信機。
【発明の詳細な説明】
【技術分野】
【０００１】
本発明は、電力線搬送用モデム等の電力線搬送通信機に関する。
【背景技術】
【０００２】
電力線搬送通信中継器を１例とした従来の電力線搬送通信機を図４に示す。電力線搬送通信中継器は電力線１０に並列接続される。中継器を構成する受信手段１１は、制御機器より発信される高周波信号からなる電力線搬送通信のパルスを電力線１０を介して受信する。受信したパルスはパルス先頭検出手段１２に加えられる。パルス先頭検出手段１２はパルスの先頭部を有限時間受信した後パルスとして検出するとその旨の情報をパルス発生手段１３へ送る。
【０００３】
パルス発生手段１３はパルスの先頭部の検出後、検出時からパルス終了予定時までの時間長のパルスを発生するもので、例えば、単安定マルチバイブレータで実現可能である。発生したパルスは送信手段１４から増幅されて電力線１０へ送信される（例えば、特許文献１参照。）。
【０００４】
【特許文献１】特公平７−４６７９３号公報（図１）
【発明の開示】
【発明が解決しようとする課題】
【０００５】
送信手段１４から出力されるパルスの送信信号は電力線１０に送出されるが、その際に受信手段１１にフィードバックされる。これは不可避的にフィードバックされることであるが、これとは別に、送信信号をモニターするために受信手段１１にフィードバックすることもある。いずれにしても自身の送信信号が受信手段１１に入力される。受信手段１１には通信相手からの送信信号（受信側にとっては受信信号）を増幅するための増幅器が設けられているので、送信時に自身の送信信号がフィードバックされるとこの増幅器が送信信号によって励振され、消費電力が増大する。
【０００６】
本発明は、送信時に自身の送信信号が受信手段に入力されることで受信増幅器での消費電力が増加するのを防止することを目的とする。
【課題を解決するための手段】
【０００７】
上記課題を解決するため、送信信号を出力し、受信信号を受ける送受信部と、出力端が電力線に結合されると共に、前記送受信部からの送信信号を増幅して前記電力線に送出する送信増幅器と、入力端が前記電力線に結合されると共に、前記電力線からの受信信号を増幅して前記送受信部に送出する受信増幅器とを備え、送信時に、前記受信増幅器をバイパスして前記送信信号を前記送受信部に入力すると共に、前記受信増幅器に供給する電源電圧を遮断した。
【０００８】
また、送信信号を出力し、受信信号を受ける送受信部と、出力端が電力線に結合されると共に、前記送受信部からの送信信号を増幅して前記電力線に送出する送信増幅器と、入力端が前記電力線に結合されると共に、前記電力線からの受信信号を増幅して前記送受信部に送出する受信増幅器とを備え、前記受信増幅器の入力端にスイッチ手段を設け、送信時に、前記受信増幅器をバイパスして前記送信信号を前記送受信部に入力すると共に、前記スイッチ手段によって前記送信信号の入力を遮断した。
【０００９】
また、前記受信増幅器に供給する電源電圧を遮断した。
【００１０】
また、送信信号を出力し、受信信号を受ける送受信部と、出力端が電力線に結合されると共に、前記送受信部からの送信信号を増幅して前記電力線に送出する送信増幅器と、入力端が前記電力線に結合されると共に、前記電力線からの受信信号を増幅して前記送受信部に送出する受信増幅器とを備え、送信時に、前記送信増幅器から出力された前記送信信号を減衰器を介して前記受信増幅器に入力した。
【００１１】
また、前記受信増幅器の入力端にスイッチ手段を設けると共に、前記スイッチ手段に前記減衰器を並列接続し、送信時に、前記スイッチ手段をオフにした。
【発明の効果】
【００１２】
以上のように、請求項１の電力線搬送通信機によれば、送信信号を出力し、受信信号を受ける送受信部と、出力端が電力線に結合されると共に、送受信部からの送信信号を増幅して電力線に送出する送信増幅器と、入力端が電力線に結合されると共に、電力線からの受信信号を増幅して送受信部に送出する受信増幅器とを備え、送信時に、受信増幅器をバイパスして送信信号を送受信部に入力すると共に、受信増幅器に供給する電源電圧を遮断したので、送信信号のモニターが可能なうえに、受信増幅器での電力消費を完全になくすことができる。
【００１３】
また、請求項２の電力線搬送通信機によれば、送信信号を出力し、受信信号を受ける送受信部と、出力端が電力線に結合されると共に、送受信部からの送信信号を増幅して電力線に送出する送信増幅器と、入力端が電力線に結合されると共に、電力線からの受信信号を増幅して送受信部に送出する受信増幅器とを備え、受信増幅器の入力端にスイッチ手段を設け、送信時に、受信増幅器をバイパスして送信信号を送受信部に入力すると共に、スイッチ手段によって送信信号の入力を遮断したので、送信信号のモニターが可能なうえに、受信増幅器における信号の増幅による電力消費の増加はない。
【００１４】
また、請求項３の電力線搬送通信機によれば、受信増幅器に供給する電源電圧を遮断したので、受信増幅器での電力消費を完全になくすことができる。
【００１５】
また、請求項４の電力線搬送通信機によれば、送信信号を出力し、受信信号を受ける送受信部と、出力端が電力線に結合されると共に、送受信部からの送信信号を増幅して電力線に送出する送信増幅器と、入力端が電力線に結合されると共に、電力線からの受信信号を増幅して送受信部に送出する受信増幅器とを備え、送信時に、送信増幅器から出力された送信信号を減衰器を介して受信増幅器に入力したので、送信信号のモニターが可能なうえに、受信増幅器における信号の増幅による電力消費の増加を少なく押さえられる。
【００１６】
また、請求項５の電力線搬送通信機によれば、受信増幅器の入力端にスイッチ手段を設けると共に、スイッチ手段に減衰器を並列接続し、送信時に、スイッチ手段をオフにしたので、送信信号を減衰器を介して受信増幅器に入力できる。
【発明を実施するための最良の形態】
【００１７】
図１乃至図３に従って本発明の電力線搬送通信機の実施形態を説明する。本実施形態における電力線搬送通信機は電力線通信用モデムを例としている。
【００１８】
先ず、第一の実施形態を示す図１において、送受信部１は図示しない制御部の制御によって送信信号と受信信号との授受を行い、送信信号の出力端と受信信号の入力端と送受切替信号の出力端を有する。送受信部１から出力された送信信号は送信増幅器２で増幅され、バンドパスフィルタ３、絶縁トランス４を介して電力線５に送出される。送信増幅器２は、例えば、２段の平衡増幅回路２ａ、２ｂを有し、その出力端がバンドパスフィルタ３に接続される。２段目の増幅回路２ｂは送信時に動作するように送受信部１からの切替信号ＳＷによって切替回路６を介して制御される。
【００１９】
電力線５を介して送られてきた受信信号は受信増幅器７によって増幅され、送受信部１に入力される。受信増幅器７は、例えば、２段の増幅回路７ａ、７ｂとバンドパスフィルタ７ｃとを有し、その入力端がバンドパスフィルタ３に接続される。従って、送信増幅器２の出力端と受信増幅器７の入力端とは互いに接続されている。なお、初段の増幅回路７ａは平衡入力、不平衡出力となっている。
【００２０】
ここで、送信増幅器２における初段の増幅回路２ａの出力端と受信増幅器７におけるバンドパスフィルタ７ｃの入力端とがバイパス用のトランス８によって結合される。従ってトランス８は平衡入力、不平衡出力となっている。
また、受信増幅器７の増幅回路７ａ、７ｂにはスイッチ手段９を介して電源電圧が供給される。このスイッチ手段９は切替回路６によって制御される。
【００２１】
以上の構成において、通信相手からの信号を受信する場合には、絶縁トランス４及びバンドパスフィルタ３を介して受信増幅器７に入力される。この際、増幅回路７ａ、７ｂには送受信部１から出力される切替信号ＳＷが切替回路６を介してスイッチ手段９に入力されてこれがオンとなり、電源電圧が供給される。そして、受信増幅器７によって増幅された受信信号が送受信部１に入力される。なお、送信増幅器２の２段目の増幅回路２ｂは切替回路６によってその動作が停止される。
【００２２】
また、送信時には、先ず、送信増幅器２における２段目の増幅回路２ｂは切替回路６によって動作状態とされる。そして、送受信部１からの送信信号が送信増幅器２、バンドパスフィルタ３、絶縁トランス４を介して電力線５に送出される。このとき、
受信増幅器７における二つの増幅回路７ａ、７ｂには、スイッチ手段９が切替回路６によってオフとされるので、電源電圧の供給が停止される。そして、初段の増幅回路２ａから出力された送信信号はトランス８を介して受信増幅器７における終段のバンドパスフィルタ７ｃに入力される。すなわち、送信信号は増幅回路７ａ、７ｂをバイパスして送受信部１にフィードバックされる。これによって、送信信号のモニターが出来ると共に、受信増幅器７における電力消費が避けられる。
【００２３】
図２は第二の実施形態の構成を示す。この実施形態では、バイパス用のトランス８が設けられているのは図１と同様であるが、受信増幅器７の入力側にスイッチ手段１０が設けられているのが特徴である。このスイッチ手段１０は切替回路６によって制御され、受信時にはオンとなり送信時にはオフとなる。従って、送信時には送信増幅器２から出力された送信信号は受信増幅器７には入力されない。よって、受信増幅器７の増幅回路７ａ、７ｂに電源電圧が供給されている状態であっても、その定常状態の電力消費のみとなって、信号の増幅による電力消費の増加はない。このとき、図１の構成と同様に、増幅回路７ａ、７ｂへの電源電圧の供給を停止すれば、一層の消費電流の低減ができる。
【００２４】
図３は第三の実施形態の構成を示す。この実施形態が図２の構成と異なるのは、バイパス用のトランス８が削除された代わりに、スイッチ手段１０に並列に減衰器１１が接続された点である。スイッチ手段１０は図２の構成と同様に、受信時にオンとなり送信時にオフとなる。従って、送信時には送信増幅器２から出力された送信信号は減衰器１１を介して受信増幅器７に入力される。しかし、受信増幅器７に入力される送信信号はそのレベルが抑圧されているので、受信増幅器７の動作による電流の増加は少ない。よって、消費電力も少なく押さえられる。この実施形態では、図２とは異なって、受信増幅器７に電源を供給しておく必要がある。
【図面の簡単な説明】
【００２５】
【図１】本発明の電力線搬送通信機における第一の実施形態の構成を示す回路図である。
【図２】本発明の電力線搬送通信機における第二の実施形態の構成を示す回路図である。
【図３】本発明の電力線搬送通信機における第三の実施形態の構成を示す回路図である
【図４】従来の電力線搬送通信機の構成を示す回路図である
【符号の説明】
【００２６】
１：送受信部
２：送信増幅器
２ａ、２ｂ：増幅回路
３：バンドパスフィルタ
４：絶縁トランス
５：電力線
６：切替回路
７：受信増幅器
７ａ、７ｂ：増幅回路
７ｃ：バンドパスフィルタ
８：バイパス用トランス
９、１０：スイッチ手段
１１：減衰器
【図１】
2005142804.tif 000003
【図２】
2005142804.tif 000004
【図３】
2005142804.tif 000005
【図４】
2005142804.tif 000006